(57)【特許請求の範囲】
【請求項１】
入力端子群と走査電極用の出力端子群と信号電極用の出力端子群とを有し、液晶パネルの画素を駆動する液晶駆動ＩＣにおいて、
前記走査電極用の出力端子群と前記入力端子群とは、前記液晶駆動ＩＣの一方の長辺側に配列し、前記信号電極用の出力端子群は、前記液晶駆動ＩＣの他方の長辺側に配列し、
前記入力端子群と同じ前記長辺側に設ける前記走査電極用の出力端子群は、前記液晶駆動ＩＣの一方の長辺側の中央方向から前記液晶駆動ＩＣの短辺方向に向かって配列し、前記液晶駆動ＩＣの短辺側には設けないことを特徴とする液晶駆動ＩＣ。
【請求項２】
前記入力端子群は、前記液晶駆動ＩＣの一方の長辺側の中央付近に配列し、
前記走査電極用の出力端子群は、前記入力端子群を挟むように配列することを特徴とする請求項１に記載の液晶駆動ＩＣ。
【請求項３】
請求項１に記載の液晶駆動ＩＣ用基板であって、
前記液晶駆動ＩＣの各端子群に対応する位置に電極を備えるとともに、該電極を前記画素と接続する配線パターンを有する基板において、
前記走査電極用の出力端子群と接続される配線パターンは、前記液晶駆動ＩＣと平面的に重なる部分を前記液晶駆動ＩＣの長辺側から短辺側に向かって通り、前記短辺と交差するように前記基板に配置することを特徴とする液晶駆動ＩＣ用基板。
【請求項４】
請求項３に記載の基板に請求項１に記載の液晶駆動ＩＣを搭載したことを特徴とする液晶表示装置。
【発明の詳細な説明】
【０００１】
【発明の属する技術分野】
本発明は液晶ディスプレイ装置等において使用される、液晶駆動ＩＣ、液晶駆動ＩＣ用基板、及びそれらを用いた液晶駆動装置に関するものである。
【０００２】
【従来の技術】
近年、液晶表示装置は、薄型、軽量かつ低消費電力として各種機器においてＣＲＴから置き換わりつつある。さらに液晶パネルの画素数の増加にともない液晶駆動ＩＣと液晶パネルの電極面との接続するする際の高密度化が必要になってきた。高密度化のための実装方法の一つにＣＯＧがある。これは、液晶パネルの第一のガラス基板上に液晶駆動ＩＣを搭載し、液晶駆動ＩＣの出力端子と第一のガラス基板上の電極を導電性物質を介し電気的な接続をする方法である。ＣＯＧ実装方法は、ガラス上の透明導電膜である酸化インジウムスズ（ＩＴＯ）電極配線を微細パターンで形成できる。以下、実装基板をガラス基板とし、実装方法をＣＯＧとして説明する。
【０００３】
図２は、前述の液晶駆動ＩＣ２１とガラス基板との接続を説明する概略図であり、液晶駆動ＩＣ２１をガラスの基板の裏面から見た図である。点線はすべて第一のガラス基板上にパターンを形成したＩＴＯ配線である。Ｔ１〜Ｔ６４は走査電極配線であり、それぞれ液晶駆動ＩＣ２１の走査電極用出力端子群Ｃ１〜Ｃ６４と電気的に接続している。Ｓ１〜Ｓ１２８は信号電極配線であり、それぞれ液晶駆動ＩＣ２１の信号電極用出力端子群Ｒ１〜Ｒ１２８と電気的に接続している。ＰＬは入力配線であり、それぞれ液晶駆動ＩＣ２１の入力端子群ｉｎＰに電気的に接続している。なお、入力端子群ｉｎＰには、その他の端子群として液晶駆動ＩＣ２１の電源端子も含まれている。
【０００４】
液晶駆動ＩＣ２１の入力端子群ｉｎＰは、一方の長辺側で配列しており、走査電極用出力端子群Ｃ１〜Ｃ６４と信号電極用出力端子群Ｒ１〜Ｒ１２８は他方の長辺側に配列している。図２で示す液晶駆動ＩＣでは、入力端子群に対して出力端子群の数が多いので、液晶駆動ＩＣ２１の一方の長辺側の端子間ピッチに比べ、他方の長辺側の端子間ピッチは微細になっている。
【０００５】
液晶駆動ＩＣ２１を液晶パネルの上側に実装し、液晶パネルの上部は左側、下部は右側から液晶駆動してパネルを表示する場合、液晶駆動ＩＣ２１の走査電極用出力端子群Ｃ１〜Ｃ６４は、Ｃ１、Ｃ２、・・・、Ｃ３１、Ｃ３２、Ｃ３３、Ｃ３４、・・・、Ｃ６３、Ｃ６４と順にすなわち走査電極配線Ｔ１、Ｔ２、・・・、Ｔ３１、Ｔ３２、Ｔ３３、Ｔ３４、・・・、Ｔ６３、Ｔ６４へ選択波形を印加する。液晶駆動ＩＣ２１の信号電極用出力端子群Ｒ１〜Ｒ１２８は、Ｒ１、Ｒ２、・・・、Ｒ１２７、Ｒ２８と順にすなわち信号電極配線Ｓ１、Ｓ２、・・・、Ｓ１２７、Ｓ１２８へ各画素に対応するデータ波形を印加する。信号電極配線は液晶駆動ＩＣを実装する第一のガラス基板に液晶を挟み対向する他方の第二のガラス基板の信号電極配線と導電性シールで電気的に接続している。
【０００６】
走査電極配線と信号電極配線でマトリクス状に配置した液晶パネルは、それぞれの走査電極と信号電極間の実行値により、液晶分子が制御され、透過光量が変化することで表示の明暗を行っている。
【０００７】
液晶駆動ＩＣ２１を液晶パネルの上側に実装し、液晶パネルの奇数行は左側、偶数行は右側から液晶駆動してパネルを表示する場合、液晶駆動ＩＣ２１の走査電極用出力端子群Ｃ１〜Ｃ６４は、Ｃ１、Ｃ３３、Ｃ２、Ｃ３４、・・・、Ｃ３１、Ｃ６３、Ｃ３２、Ｃ６４と順にすなわち走査電極配線Ｔ１、Ｔ３３、Ｔ２、Ｔ３４、・・・、Ｔ３１、Ｔ６３、Ｔ３２、Ｔ６４へ選択波形を印加する。液晶駆動ＩＣ２１の信号電極用出力端子群Ｒ１〜Ｒ１２８は、Ｒ１、Ｒ２、・・・、Ｒ１２７、Ｒ２８と順にすなわち信号電極配線Ｓ１、Ｓ２、・・・、Ｓ１２７、Ｓ１２８へ各画素に対応するデータ波形を印加する。信号電極配線は液晶駆動ＩＣを実装する第一のガラス基板に液晶を挟み対向する他方の第二のガラス基板の信号電極配線と導電性シールで電気的に接続している。
【０００８】
走査電極配線と信号電極配線でマトリクス状に配置した液晶パネルは、それぞれの走査電極と信号電極間の実行値により、液晶分子が制御され、透過光量が変化することで表示の明暗を行っている。
【０００９】
【発明が解決しようとする課題】
図２のように走査電極用出力端子群と信号電極用出力端子群を液晶駆動ＩＣ２１の一方の長辺側に配列していたため、他方の長辺側に配列してある入力端子群との数の割合が悪くなっていた。
【００１０】
また、画素数が増加するにしたがい、液晶駆動ＩＣ２１の出力数も増加し、長辺側に配列している出力端子間ピッチをさらに微細化しなければならなくなった。
【００１１】
本発明の目的は、上記課題を解決して、微細化できるＣＯＧ実装方法の特徴を活用した液晶駆動装置を提供することである。
【００１２】
【課題を解決するための手段】
上記目的を達成するために、本発明における液晶表示装置は、以下の手段を用いた。
【００１３】
液晶駆動ＩＣと前記液晶駆動ＩＣを搭載する基板とからなる液晶表示装置であり、
入力端子群と走査電極用の出力端子群と信号電極用の出力端子群とを有し、液晶パネルの画素を駆動する液晶駆動ＩＣにおいて、
前記走査電極用の出力端子群と前記入力端子群とは、前記液晶駆動ＩＣの一方の長辺側に配列し、前記信号電極用の出力端子群は、前記液晶駆動ＩＣの他方の長辺側に配列し、
前記入力端子群と同じ前記長辺側に設ける前記走査電極用の出力端子群は、前記液晶駆動ＩＣの一方の長辺側の中央方向から前記液晶駆動ＩＣの短辺方向に向かって配列し、前記液晶駆動ＩＣの短辺側には設けないことを特徴とする。
【００１４】
また、前記入力端子群は、前記液晶駆動ＩＣの一方の長辺側の中央付近に配列し、
前記走査電極用の出力端子群は、前記入力端子群を挟むように配列することを特徴とする。
【００１５】
前記液晶駆動ＩＣの各端子群に対応する位置に電極を備えるとともに、該電極を前記画素と接続する配線パターンを有する基板において、
前記走査電極用の出力端子群と接続される配線パターンは、前記液晶駆動ＩＣと平面的に重なる部分を前記液晶駆動ＩＣの長辺側から短辺側に向かって通り、前記短辺と交差するように前記基板に配置することを特徴とする。
【００１６】
（作用）
本発明においては、液晶駆動ＩＣを実装する第一のガラス基板に形成される走査電極群と、液晶を介して対向する第二の基板に形成される信号電極群と、一つの液晶駆動ＩＣと、を備えている。
【００１７】
一つの液晶駆動ＩＣを第一の基板に実装し、液晶駆動ＩＣの出力端子を走査電極群と信号電極群に電気的に接続する。
【００１８】
画素数の増加、すなわち走査電極用出力端子数と信号電極用出力端子数の増加による、液晶駆動ＩＣのチップ面積の増加が抑制できる。さらに、入力端子数と出力端子数の割合の均衡を保つことができる。
【００１９】
【発明の実施の形態】
以下、本発明の実施の携帯を図面に基づいて詳細に説明する。図１に本実施の形態に用いた液晶表示装置の構成図である。
【００２０】
図１は、前述の液晶駆動ＩＣ１１をガラスの基板の裏面から見た図である。点線はすべて第一のガラス基板上にパターンを形成したＩＴＯ配線である。Ｔ１〜Ｔ６４は走査電極配線であり、それぞれ液晶駆動ＩＣ１１の走査電極用出力端子群Ｃ１〜Ｃ６４と電気的に接続している。Ｓ１〜Ｓ１２８は信号電極配線であり、それぞれ液晶駆動ＩＣ１１の信号電極用出力端子群Ｒ１〜Ｒ１２８と電気的に接続している。ＰＬは入力配線であり、それぞれ液晶駆動ＩＣ１１の入力端子群ｉｎＰに電気的に接続している。なお、入力端子群ｉｎＰには、その他の端子群として液晶駆動ＩＣ１１の電源端子も含まれている。
【００２１】
液晶駆動ＩＣ１１の入力端子群ｉｎＰは、一方の長辺側の中央付近に配列し、走査電極用出力端子群Ｃ１〜Ｃ６４は、入力端子群を挟む形で、一方の長辺側に配列する。信号電極用出力端子群Ｒ１〜Ｒ１２８は他方の長辺側に配列する。
【００２２】
液晶駆動ＩＣ１１を液晶パネルの上側に実装し、液晶パネルの上部は左側、下部は右側から液晶駆動してパネルを表示する場合、液晶駆動ＩＣ１１の走査電極用出力端子Ｃ１〜Ｃ６４は、Ｃ１、Ｃ２、・・・、Ｃ３１、Ｃ３２、Ｃ３３、Ｃ３４、・・・、Ｃ６３、Ｃ６４と順にすなわち走査電極配線Ｔ１、Ｔ２、・・・、Ｔ３１、Ｔ３２、Ｔ３３、Ｔ３４、・・・、Ｔ６３、Ｔ６４へ選択波形を印加する。液晶駆動ＩＣ１１の信号電極用出力端子Ｒ１〜Ｒ１２８は、Ｒ１、Ｒ２、・・・、Ｒ１２７、Ｒ２８と順にすなわち信号電極配線Ｓ１、Ｓ２、・・・、Ｓ１２７、Ｓ１２８へ各画素に対応するデータ波形を印加する。信号電極配線は液晶駆動ＩＣを実装する第一のガラス基板に液晶を挟み対向する他方の第二のガラス基板の信号電極配線と導電性シールで電気的に接続している。
【００２３】
走査電極配線と信号電極配線でマトリクス状に配置した液晶パネルは、それぞれの走査電極と信号電極間の実行値により、液晶分子が制御され、透過光量が変化することで表示の明暗を行っている。
【００２４】
液晶駆動ＩＣ１１を液晶パネルの上側に実装し、液晶パネルの奇数行は左側、偶数行は右側から液晶駆動してパネルを表示する場合、液晶駆動ＩＣ１１の走査電極用出力端子群Ｃ１〜Ｃ６４は、Ｃ１、Ｃ３３、Ｃ２、Ｃ３４、・・・、Ｃ３１、Ｃ６３、Ｃ３２、Ｃ６４と順にすなわち走査電極配線Ｔ１、Ｔ３３、Ｔ２、Ｔ３４、・・・、Ｔ３１、Ｔ６３、Ｔ３２、Ｔ６４へ選択波形を印加する。液晶駆動ＩＣ２１の信号電極用出力端子群Ｒ１〜Ｒ１２８は、Ｒ１、Ｒ２、・・・、Ｒ１２７、Ｒ２８と順にすなわち信号電極配線Ｓ１、Ｓ２、・・・、Ｓ１２７、Ｓ１２８へ各画素に対応するデータ波形を印加する。信号電極配線は液晶駆動ＩＣを実装する第一のガラス基板に液晶を挟み対向する他方の第二のガラス基板の信号電極配線と導電性シールで電気的に接続している。
【００２５】
走査電極配線と信号電極配線でマトリクス状に配置した液晶パネルは、それぞれの走査電極と信号電極間の実行値により、液晶分子が制御され、透過光量が変化することで表示の明暗を行っている。
【００２６】
液晶表示装置では、配線パターンとして、透明導電膜である酸化インジウムスズ（ＩＴＯ）を用いる。なお、配線パターンは必ずしも透明導電膜を用いる必要はなく、金属膜あるいは透明導電膜と金属膜との積層膜を用いてもよい。
【００２７】
【発明の効果】
以上の説明で明らかなように、本発明において、液晶駆動ＩＣの二つの長辺側に、入力端子群と走査電極用の出力端子群と信号電極用の出力端子群とその他の端子群を最適に振り分けるので、各端子群による液晶駆動ＩＣのチップ面積を増加を抑制することができる。さらに、一つの長辺側の端子間ピッチを残り一つの長辺側の端子間ピッチに比べ、極端に微細化する必要はない。
【００２８】
また、液晶駆動ＩＣの接続面の内部にもＩＴＯのパターンが形成できるといった、ＣＯＧ実装方法の特徴を活用できる。
【図面の簡単な説明】
【図１】本発明の実施の形態で使用する液晶駆動ＩＣの端子配列を示す図である。
【図２】従来の液晶駆動ＩＣの端子配列を示す図である。
【符号の説明】
１１、２１  液晶駆動ＩＣ
Ｃ１〜Ｃ６４  走査電極用出力端子
Ｒ１〜Ｒ１２８  信号電極用出力端子
ｉｎＰ  入力端子（電源端子を含む）
Ｔ１〜Ｔ６４  走査電極配線
Ｓ１〜Ｓ１２８  信号電極配線
ＰＬ  入力配線（電源配線を含む）
【図１】
0004112675.tif 000002
【図２】
0004112675.tif 000003